(57)【要約】【課題】配管類を支持させるための作業を容易に行える配管類支持具を提供する。【解決手段】建屋の構造体に取り付けられる固定部９と固定部９から延びるとともに多数の孔が形成された延出部１０とを有する支持部材７と、配管類を延出部１０に支持させるためのバンド８と、バンド８の一端部を固定部９に固定する固定手段と、バンド８の他端部を延出部１０に保持させる保持手段とを備え、固定手段は、バンド８を固定部９に巻き掛けることによって、バンド８の一端部を固定部９に固定するよう構成され、固定手段で一端部が固定されたバンド８の他端部を延出部１０の孔に通して配管類に巻き掛けて、バンド８の他端部を延出部１０に保持手段で保持させる。【選択図】図１
2015200408.tif 000002
【特許請求の範囲】
【請求項１】
建屋の構造体に取り付けられて配管類を支持する配管類支持具であって、
建屋の構造体に取り付けられる固定部と該固定部から延びるとともに延出方向に沿って多数の孔が形成された延出部とを有する支持部材と、配管類を前記延出部に支持させるためのバンドと、前記バンドの一端部を前記固定部に固定する固定手段と、前記バンドの他端部を前記延出部に保持させる保持手段とを備え、
前記固定手段は、前記バンドを前記固定部に巻き掛けることによって、該バンドの一端部を該固定部に固定するよう構成され、
前記固定手段で一端部が固定されたバンドの他端部を前記延出部の多数の孔のうちの一つの孔に通して前記配管類に巻き掛けて、該バンドの他端部を前記延出部に前記保持手段で保持させるように構成されていることを特徴とする配管類支持具。
【請求項２】
前記固定手段は、前記バンドを前記固定部の延出部とは反対側端に巻き掛けて該固定部の構造体への取付側となる裏面側へ折り返すことによって該バンドを該固定部に固定するよう構成されていることを特徴とする請求項１に記載の配管類支持具。
【請求項３】
前記固定手段は、前記固定部及び前記バンドの一端部のうちのいずれか一方に固定部側係止爪を備えるとともに、他方に該固定部側係止爪に係止する固定部側係止孔を備え、前記固定部側係止爪と前記固定部側係止孔とが前記固定部の構造体への取付側とは反対側である表面側で係止した状態で前記バンドを前記固定部に巻き掛けるように構成されていることを特徴とする請求項１又は２に記載の配管類支持具。
【請求項４】
前記固定部側係止爪が前記固定部に構造体への取付側とは反対側である表面側に突出する状態で設けられ、該固定部側係止爪に係止する前記固定部側係止孔が前記バンドの一端部に設けられていることを特徴とする請求項３に記載の配管類支持具。
【請求項５】
前記保持手段が、前記配管類に巻き掛けたバンドの他端部を前記延出部に係止する係止手段から構成され、前記バンドの他端部を前記延出部の多数の孔のうち、前記一つの孔よりも延出方向先端側にある他の一つの孔に通し、該他の一つの孔に通したバンドの他端部を前記延出部に前記係止手段で係止するように構成されていることを特徴とする請求項１〜４のうちのいずれか１項に記載の配管類支持具。
【請求項６】
前記保持手段が、前記配管類に巻き掛けたバンドの他端部を前記延出部に係止する係止手段から構成され、前記バンドの他端部を、前記延出部における配管類を支持する側の表面側に重ね合わせて前記係止手段で係止するように構成されていることを特徴とする請求項１〜４のうちのいずれか１項に記載の配管類支持具。
【請求項７】
前記係止手段は、前記重ね合わせた延出部とバンドとを、バンド側から延出部側へ貫通することで係止するように構成された貫通係止部材を含むことを特徴とする請求項６に記載の配管類支持具。
【請求項８】
前記固定部には、前記構造体に固定するための複数の固定用のビス孔を備え、該複数のビス孔と合致するビス孔を前記バンドの一端部に備えていることを特徴とする請求項１〜７のうちのいずれか１項に記載の配管類支持具。
【発明の詳細な説明】
【技術分野】
【０００１】
本発明は、建屋の構造体に取り付けられて配管類を支持する配管類支持具に関する。
【０００２】
かかる配管類支持具としては、例えば下記特許文献１のものが提案されている。この配管類支持具は、建屋の構造体に両端が固定され、長手方向に多数のバンド挿通用の孔を備えた平板状の長板と、この長板の孔に通して配管類に巻き掛けることによって配管類を長板に支持させるためのバンドと、巻き掛けた後のバンドの一端部を長板に重ねた状態で挟持して固定するための一対の挟持片を有するクリップとを備えている。バンドの他端部には、バンドの一端部を通したときにバンドが孔から抜けてしまうことがないように、孔よりも大きな抜止部を備えている。
【０００３】
上記構成の配管類支持具で配管類を支持する場合には、まず、バンドの一端部を長板の厚み方向一方側から孔に通して他方側に一旦位置させる。続いて、バンドの一端部を前記孔とは異なる他の孔に長板の厚み方向他方側から通して長板の厚み方向一方側に位置させることによって、バンドの抜止部が孔で引っ掛かっている状態にする。この状態から、長板の厚み方向一方側に存在する配管類にバンドを巻き掛けて長板の孔に通して長板の厚み方向他方側へバンドの一端部を位置させることによって、配管類を長板にバンドで支持させることができる。そして、バンドの一端部を長板に重ね、その状態においてクリップでバンドと長板とを挟持して固定する。
【先行技術文献】
【特許文献】
【０００４】
【特許文献１】特開２００５−２５６９４５号公報
【発明の概要】
【発明が解決しようとする課題】
【０００５】
特許文献１の配管類支持具では、抜止部でバンドが抜ける方向へのバンドの移動を阻止することができるものの、抜ける方向とは反対側へのバンドの移動が規制されていない。つまり、配管類にバンドを巻き掛ける際には、バンドが長板の孔に通されているだけで固定されていない状態である。このため、バンドを配管類に巻き掛けようとしても、バンドが長板に対して不測に移動してしまい、バンドを配管類に巻き掛ける作業がやり難いものであった。また、巻き掛けた後のバンドの一端部を長板に重ねた状態においてクリップで挟持する時に、一方の手でバンドと長板とを保持しながら、もう一方の手でクリップを開きながらバンドと長板とを挟み込むという作業を行わなければならず、作業がやり難いものであり、改善の余地があった。
【０００６】
本発明は前述の状況に鑑み、解決しようとするところは、配管類を支持させるための作業を容易に行える配管類支持具を提供するものである。
【課題を解決するための手段】
【０００７】
本発明の配管類支持具は、前述の課題解決のために、建屋の構造体に取り付けられて配管類を支持する配管類支持具であって、建屋の構造体に取り付けられる固定部と該固定部から延びるとともに延出方向に沿って多数の孔が形成された延出部とを有する支持部材と、配管類を前記延出部に支持させるためのバンドと、前記バンドの一端部を前記固定部に固定する固定手段と、前記バンドの他端部を前記延出部に保持させる保持手段とを備え、前記固定手段は、前記バンドを前記固定部に巻き掛けることによって、該バンドの一端部を該固定部に固定するよう構成され、前記固定手段で一端部が固定されたバンドの他端部を前記延出部の多数の孔のうちの一つの孔に通して前記配管類に巻き掛けて、該バンドの他端部を前記延出部に前記保持手段で保持させるように構成されていることを特徴としている。
【０００８】
本発明によれば、配管類を支持する場合には、まず、バンドの一端部を固定部に固定手段で固定するので、バンドが固定部に対して不測に移動することがなく、それ以降の作業を容易に行うことができる。つまり、一端部が固定されたバンドの他端部を延出部の一つの孔に通して配管類に巻き掛けてからバンドの他端部を延出部に保持手段で保持させることにより、配管類を延出部に容易に支持させることができる。
【０００９】
又、本発明の配管類支持具は、前記固定手段が、前記バンドを前記固定部の延出部とは反対側端に巻き掛けて該固定部の構造体への取付側となる裏面側へ折り返すことによって該バンドを該固定部に固定するよう構成されていてもよい。
【００１０】
上記のように、バンドを固定部の延出部とは反対側端に巻き掛けて固定部の構造体への取付側となる裏面側へ折り返すことによって、バンドを固定部に確実に固定することができる。
【００１１】
又、本発明の配管類支持具は、前記固定手段が、前記固定部及び前記バンドの一端部のうちのいずれか一方に固定部側係止爪を備えるとともに、他方に該固定部側係止爪に係止する固定部側係止孔を備え、前記固定部側係止爪と前記固定部側係止孔とが前記固定部の構造体への取付側とは反対側である表面側で係止した状態で前記バンドを前記固定部に巻き掛けるように構成されていてもよい。
【００１２】
上記のように、固定部側係止爪と固定部側係止孔とを固定部の構造体への取付側とは反対側である表面側で係止した状態で、バンドを固定部に巻き掛けるだけで、バンドを固定部に固定することができる。よって、ビス等を用いてバンドを固定部に固定する構成に比べて迅速に固定することができる。
【００１３】
又、本発明の配管類支持具は、前記固定部側係止爪が前記固定部に構造体への取付側とは反対側である表面側に突出する状態で設けられ、該固定部側係止爪に係止する前記固定部側係止孔が前記バンドの一端部に設けられていてもよい。
【００１４】
上記のように、固定部側係止爪が固定部に構造体への取付側とは反対側である表面側に突出する状態で設けられ、固定部側係止爪に係止する固定部側係止孔がバンドの一端部に設けられることによって、固定部の構造体への取付側となる裏面側にはバンドが位置するだけで、固定部の裏面側へ固定部側係止爪が突出するようなことがない。よって、固定部を建屋の構造体にバンドを介在して確実に固定することができる。
【００１５】
又、本発明の配管類支持具は、前記保持手段が、前記配管類に巻き掛けたバンドの他端部を前記延出部に係止する係止手段から構成され、前記バンドの他端部を前記延出部の多数の孔のうち、前記一つの孔よりも延出方向先端側にある他の一つの孔に通し、該他の一つの孔に通したバンドの他端部を前記延出部に前記係止手段で係止するように構成されていてもよい。
【００１６】
上記のように、他の一つの孔に通したバンドの他端部を延出部に係止手段で係止して固定することによって、ビス等を用いてバンドの他端部を延出部に固定する構成に比べて迅速に固定することができる。
【００１７】
又、本発明の配管類支持具は、前記保持手段が、前記配管類に巻き掛けたバンドの他端部を前記延出部に係止する係止手段から構成され、前記バンドの他端部を、前記延出部における配管類を支持する側の表面側に重ね合わせて前記係止手段で係止するように構成されていてもよい。
【００１８】
上記のように、配管類に巻き掛けたバンドの他端部を、延出部における配管類を支持する側の表面側に重ね合わせて係止手段で係止する構成にすることによって、バンドの他端部を延出部の孔に通すことが不要になるだけでなく、バンドの他端部を延出部に係止手段を用いて迅速に固定することができる。
【００１９】
又、本発明の配管類支持具は、前記係止手段が、前記重ね合わせた延出部とバンドとを、バンド側から延出部側へ貫通することで係止するように構成された貫通係止部材を含んでいてもよい。
【００２０】
上記のように、貫通係止部材が、重ね合わせた延出部とバンドとを、バンド側から延出部側へ貫通する構成にすることによって、引っ掛けにより係止する構成に比べて、配管類を確実かつ長期間において延出部に固定しておくことが可能となる。
【００２１】
又、本発明の配管類支持具は、前記固定部には、前記構造体に固定するための複数の固定用のビス孔を備え、該複数のビス孔と合致するビス孔を前記バンドの一端部に備えていてもよい。
【００２２】
上記のように、固定部に備えた複数のビス孔にバンドのビス孔を合致させた状態でビスを通して固定部を建屋の構造体に固定することによって、バンドが固定部と建屋の構造体との間に挟まれた状態で固定されるだけでなく、バンドが固定部に対して位置ずれすることがない。
【発明の効果】
【００２３】
本発明によれば、バンドの一端部を固定部に固定手段で固定することによって、バンドが不測に動くことがないから、配管類を支持させるための作業を容易に行える配管類支持具を提供することができる。
【図面の簡単な説明】
【００２４】
【図１】配管類を支持する直前の本発明の配管類支持具の平面図である。
【図２】同配管類支持具を構成する支持部材を示し、（ａ）は正面図、（ｂ）は平面図、（ｃ）は縦断側面図である。
【図３】同配管類支持具を構成するバンドの平面図である。
【図４】配管類を支持する手順を示し、（ａ）はバンドの一端部を固定部に係止した状態であり、（ｂ）は固定部をビスで固定する直前の状態である。
【図５】配管類を支持する手順を示し、（ａ）はバンドを配管類に巻き掛けた状態であり、（ｂ）は、バンドの他端部を延出部に係止した支持作業が完了した状態である。
【図６】（ａ），（ｂ），（ｃ）は同配管類支持具で外径の異なる３本の配管を支持している状態を示す横断平面図である。
【図７】（ａ），（ｂ），（ｃ）は同配管類支持具で外径の異なる３本の配管を支持している状態を示す横断平面図である。
【図８】（ａ）は同配管類支持具で１本の配管を支持している状態を示す横断平面図、（ｂ），（ｃ）は同配管類支持具で外径の異なる２本の配管を支持している状態を示す横断平面図である。
【図９】他の配管類支持具を示し、（ａ）は正面図、（ｂ）は縦断正面図である。
【図１０】他の配管類支持具を示す縦断側面図である。
【図１１】他の配管類支持具を示し、（ａ）は縦断側面図、（ｂ）は図１１（ａ）の貫通係止部材をバンドと延出部とに貫通した部分の拡大図、（ｃ）は図１１（ｂ）で示した貫通係止部材の他の形態を示す拡大図、（ｄ）はバンドに形成された孔と延出部に形成された孔とを合わせた状態で貫通係止部材を差し込んだ状態を示す拡大図である。
【発明を実施するための形態】
【００２５】
図１に、所定間隔を置いて平行に配設された一対の壁１，１間に縦柱２が設けられ、その縦柱（建屋の構造体に相当する）２に、本発明の配管類支持具３が取り付けられ、その配管類支持具３に３本の配管（二点鎖線で示している）４，５，６を支持している状態（二点鎖線参照）を示している。尚、配管類支持具３の縦柱２の取付側とは反対側である配管４，５，６側の面を表面（前面）とし、縦柱２の取付側、つまり配管４，５，６側と反対側の面を裏面（後面）として以下説明する。
【００２６】
配管類支持具３は、図１〜図３に示すように、略Ｌ字状の支持部材７と、支持部材７に３本の配管４，５，６を支持させるための巻き掛け用のバンド８とを備えている。
【００２７】
支持部材７は、縦柱２の厚み方向一側面２Ａに取り付けられる固定部９と、固定部９の長さ方向一端から直交する方向（ここでは直交しているが、交差する方向でもよい）に延びる長方形状の延出部１０とを備えている。また、支持部材７は、金属製材料（ほぼ同等の強度を有するものであれば、合成樹脂材料であってもよい）から構成され、固定部９と延出部１０との連結部である折曲部Ｗの表面側に三角形状をなす一対の三角ビード１１，１１を形成して、特に折曲部Ｗで容易に変形することがないようにしている。尚、折曲部Ｗの裏面側に、バンド８が嵌り込んでバンド８が幅方向にずれることを阻止すべく表面側に凹んだ溝部を形成して実施することが好ましい。
【００２８】
固定部９は、図２（ａ），（ｂ），（ｃ）に示すように、長方形状に構成され、その中心部を略Ｕの字状に切り欠いて折り曲げることによって、略長方形状の固定部側係止爪９Ｋを備えるとともに、上部側に左右一対のビス挿通用の孔９Ａ，９Ａを備えている。固定部側係止爪９Ｋは、表面側に突出するように上端を折り曲げて形成され、下端側ほど表面側に突出する傾斜姿勢に構成されている。このように構成された固定部側係止爪９Ｋには、後述するバンド８の一端部に備えた固定部側係止孔８Ａが係止される。ここでは、固定部側係止爪９Ｋの傾斜角度θ１を、９０°未満でかつ後述するバンド８の固定部側係止孔８Ａが入りやすい角度となる任意の角度に設定することが好ましい。ビス挿通用の孔９Ａ，９Ａは、円形に形成され、図１に示すように、ビス１４，１４（図１では１本のみ図示している）が挿通されて縦柱２にねじ込んで固定される。このとき、バンド８が縦柱２と固定部９との間に挟まれた状態で固定される。尚、バンド８は、ビス挿通用孔９Ａ，９Ａ同士の間に入り込んで、ビス挿通用孔９Ａ，９Ａに緩衝しない幅の寸法に設定されている。
【００２９】
延出部１０は、固定部９よりも遥かに長い長尺な板状で長方形状の本体部１２と、本体部１２の幅方向両側に略９０°折り曲げて形成された一対の補強板部１３，１３とを備えている。これら一対の補強板部１３，１３は、本体部１２の裏面に沿って配置されるバンド８を隠すためのスカート部としても機能する。また、本体部１２には、等間隔で多数（ここでは１２個）のバンド挿通用の孔１２Ｂが形成されている。これらの孔１２Ｂが、固定部９と延出部１０との折曲部Ｗにおける強度を考慮して固定部９側の基端部１２Ａから所定位置までの間には形成されていない。各孔１２Ｂは、幅方向に長い長方形状に形成されている。また、本体部１２の先端部（遊端部）１２Ｃには、バンド８の他端部に形成の後述する延出部側係止孔８Ｂに係止するための延出部側係止爪１２Ｋを備えている。この延出部側係止爪１２Ｋは、本体部１２の裏面側へ突出するように折り曲げられ、先端側ほど本体部１２の裏面側に突出する傾斜姿勢に形成されている。ここでは、傾斜角度θ２を９０°を越える角度でかつ後述するバンド８の延出部側係止孔８Ｂが入りやすい角度となる任意の角度に設定することが好ましい。
【００３０】
バンド８は、金属材料（各種の合成樹脂材料でもよい）で構成され、支持部材７よりも薄くて可撓性を有している。また、バンド８は、支持部材７よりも長尺でかつ幅が狭い略長方形状に構成されている。具体的には、一例として、支持部材７の本体部１２の長さを１６２ｍｍとし、バンド８の長さを３４５ｍｍとしている。バンド８の一端部には、前記固定部側係止爪９Ｋが係止する角型状の固定部側係止孔８Ａが形成されている。また、バンド８の他端部には、前記延出部側係止爪１２Ｋが係止する幅方向に長い長方形状の延出部側係止孔８Ｂが等間隔で多数（ここでは１７個であるが３個以上であれば何個でもよい）形成されている。
【００３１】
前記構成のバンド８を用いて配管４，５，６を支持部材７に支持するには、まず、図４（ａ）に示すように、固定部９の固定部側係止爪９Ｋにバンド８の一端部の固定部側係止孔８Ａをバンド８の一端８Ｔが延出部１０側に位置する状態で係止する。この状態で、バンド８の他端側を固定部９の延出部１０とは反対側端の遊端（先端）に巻き掛けて固定部９の裏面側へ折り返すことによって、バンド８を固定部９に固定する（図４（ｂ）参照）。この状態において、バンド８が引っ張られることを、固定部側係止爪９Ｋと固定部側係止孔８Ａとの係止によって阻止する一方、バンド８が押されることを、バンド８が固定部９の表面側から裏面側へ折り返されていることによって阻止し、バンド８が不測に長手方向に移動することがないようにバンド８を固定部９に固定することができる。尚、前記のように、固定部９の固定部側係止爪９Ｋにバンド８の一端部の固定部側係止孔８Ａを係止してバンド８の他端側を固定部９の延出部１０とは反対側端の遊端（先端）に巻き掛けて固定部９の裏面側へ折り返すことによって、バンド８の一端部を固定部９に固定する固定手段を構成している。
【００３２】
前記のようにバンド８の一端を固定した後は、固定部９の裏面（後面）を縦柱２にバンド８を介して押し付けた状態にし、その状態でビス１４，１４止めして配管類支持具３を縦柱２に固定する。続いて、図５（ａ）に示すように、バンド８の他端部を延出部１０の本体部１２の一つの孔（図６（ａ）に示すように、固定部９側から第１番目の孔）１２Ｂに通して本体部１２の表面（前面）側に位置させてから、３本の配管４，５，６に巻き掛ける。巻き掛け後は、バンド８の他端部を延出部１０の本体部１２の他の一つの孔（図６（ａ）に示すように、固定部９側から第７番目の孔）１２Ｂに通すことにより３本の配管４，５，６を延出部１０の本体部１２に支持させる。この支持は、３本の配管４，５，６が大きく移動してしまうことを防止することができる程度、つまり配管４，５，６に大きな締付力が加わらない程度に配管を巻き掛けて支持することを言う。
【００３３】
前記のように延出部１０の本体部１２の他の一つの孔１２Ｂに通したバンド８の他端部の延出部側係止孔８Ｂのうちの１つの延出部側係止孔８Ｂを延出部側係止爪１２Ｋに係止（図５（ｂ）参照）して、配管４，５，６を配管類支持具３で支持する作業を終了する。尚、バンド８の他端部の延出部側係止孔８Ｂと延出部１０の本体部１２の延出部側係止爪１２Ｋとで、バンド８の他端部を延出部１０に係止する係止手段を構成している。ここでは、バンド８の他端部を延出部１０に保持させる保持手段を、バンド８の他端部を延出部１０に係止する係止手段から構成している。
【００３４】
図６（ａ）（図１、図４、図５で示した配管４，５，６と同一のもの）では、外径が２６ｍｍの配管４、外径が２４ｍｍの配管５、外径が３４ｍｍの配管６を一体にして支持した状態を示し、図６（ｂ）では、外径２４ｍｍの配管４、外径が２６ｍｍの配管５、外径が３４ｍｍの配管６を一体にして支持した状態を示し、図６（ｃ）では、外径２４ｍｍの配管４、外径が３４ｍｍの配管５、外径が２６ｍｍの配管６を一体にして支持した状態を示している。尚、バンド８が本体部１２の固定部９側端から第１番目の孔１２Ｂに挿入するまでの長さＬ１は、図６（ａ），（ｂ），（ｃ）とも同じである。また、図６（ａ）と図６（ｂ）では、いずれもバンド８を第７番目の孔１２Ｂに挿入しているため、バンド８を第７番目の孔１２Ｂに挿入してから延出部側係止爪１２Ｋに係止するまでの長さＬ２が、ほぼ同一であるが、図６（ｃ）では、バンド８を第６番目の孔１２Ｂに挿入しているため、バンド８を第６番目の孔１２Ｂに挿入してから延出部側係止爪１２Ｋに係止するまでの長さＬ３が、前記長さＬ２よりも長くなっている。
【００３５】
また、図７（ａ）では、外径が２６ｍｍの配管４、外径が２７ｍｍの配管５、外径が２４ｍｍの配管６を一体にして支持した状態を示し、図７（ｂ）では、外径２６ｍｍの配管４、外径が２４ｍｍの配管５、外径が２７ｍｍの配管６を一体にして支持した状態を示し、図７（ｃ）では、外径２４ｍｍの配管４、外径が２６ｍｍの配管５、外径が２７ｍｍの配管６を一体にして支持した状態を示している。尚、バンド８が本体部１２の固定部９側端から第１番目の孔１２Ｂに挿入するまでの長さＬ１は、図７（ａ），（ｂ），（ｃ）とも同じである。また、図７（ａ）〜図７（ｃ）では、いずれもバンド８を第６番目の孔１２Ｂに挿入しているため、バンド８を第６番目の孔１２Ｂに挿入してから延出部側係止爪１２Ｋに係止するまでの長さＬ４が、ほぼ同一である。
【００３６】
また、図８（ａ）では、外径が２６ｍｍの配管４のみを支持した状態を示し、図８（ｂ）では、外径２４ｍｍの配管４、外径が２７ｍｍの配管５を一体にして支持した状態を示し、図８（ｃ）では、外径２４ｍｍの配管４、外径が３４ｍｍの配管５を一体にして支持した状態を示している。尚、バンド８が本体部１２の固定部９側端から第１番目の孔１２Ｂに挿入するまでの長さＬ１は、図８（ａ），（ｂ），（ｃ）とも同じである。また、図８（ａ）では、バンド８を第４番目の孔１２Ｂに挿入し、図８（ｂ）では、バンド８を第６番目の孔１２Ｂに挿入し、図８（ｃ）では、バンド８を第７番目の孔１２Ｂに挿入しているため、図８（ａ）に示す長さＬ５が一番長く、次に、図８（ｂ）に示す長さＬ６が長く、図８（ｃ）に示す長さＬ７が一番短くなっている。図６〜図８で説明している配管４，５，６は、例えば冷媒等の流体を案内するための配管である。
【００３７】
以上のように、長尺に構成された延出部１０の本体部１２に形成されている多数の孔１２Ｂから配管の本数又は配管の位置に合わせて特定の孔１２Ｂを選択することができるので、１本の配管は勿論のこと、２本の配管の他、いろんな外径の３本の配管又は４本以上の配管を纏めて確実に支持することができる配管類支持具３を構成することができる。
【００３８】
尚、本発明は、上記実施形態に限定されるものではなく、本発明の要旨を逸脱しない範囲で種々の変更が可能である。例えば、図６（ａ），（ｂ）〜図８（ａ），（ｂ）では、バンド８を本体部１２の固定部９側端から第１番目の孔１２Ｂに挿入した場合のみを示したが、第２番目以降の任意の孔１２Ｂにバンド８を挿入することによって、長さＬ１を自在に変更してもよい。
【００３９】
前記実施形態では、バンド８の一端部と固定部９とを固定する固定手段が、固定部９の固定部側係止爪９Ｋとこの固定部側係止爪９Ｋに係止するバンド８の固定部側係止孔８Ａとを備え、このバンド８の固定部側係止孔８Ａを固定部９の固定部側係止爪９Ｋに係止した状態でバンド８を固定部９の延出部１０とは反対側端に巻き掛けて折り返すことによってバンド８を固定部９に固定するように構成したが、図９（ａ），（ｂ）に示すように、バンド８の一端部に、固定部９の左右一対の孔９Ａ，９Ａに合致する左右一対の孔８ａ，８ａが形成された幅広部８Ｈを備えて実施してもよい。この場合、バンド８の一端部の左右一対の孔８ａ，８ａが固定部９の左右一対の孔９Ａ，９Ａに合致するようにバンド８の一端部を固定部９の裏面に重ね合わせた状態でビス１４，１４止めすることにより、バンド８が固定部９と縦柱２との間に挟まれた状態で固定されるだけでなく、バンド８が固定部９に対して位置ずれすることがない。尚、説明しなかった構成は、図１及び図２と同様であるため、同一符号を付している。
【００４０】
また、前記実施形態では、固定部側係止爪９Ｋを表面側に突出したが、図１０に示すように、固定部側係止爪９Ｋを裏面側に突出するように構成してもよい。この場合、固定部９の固定部側係止爪９Ｋにバンド８の一端部の固定部側係止孔８Ａをバンド８の一端８Ｔが延出部１０側に位置する状態で係止する。この状態で、バンド８の他端側を固定部９の長手方向延出部１０側とは反対側端の遊端（先端）に巻き掛けて固定部９の裏面側から表面側へ折り返して、バンド８を固定部９に固定する。このとき、バンド８の他端部を延出部１０の裏面側へ通すための貫通孔１２ａを延出部１０の本体部１２に形成しておくことが好ましい。また、固定部９の裏面を縦柱２に押し付ける際に、固定部側係止爪９Ｋが邪魔になるため、固定部９の幅方向両端に縦柱２に押し付けるための脚部１５，１５（図１０では一方のみ図示している）を備えて実施することが好ましい。また、バンド８を配管４を延出部１０の本体部１２の裏面側で巻き掛けてから、バンド８の他端部を本体部１２の孔１２Ｂを通して本体部１２の表面側へ位置させてもよい。また、本体部１２の表面側へ位置させたバンド８の他端部の延出部側係止孔８Ｂを本体部１２の表面側に突出させた延出部側係止爪１２Ｋに係止してもよい。更には、バンド８の一端部を固定部９にリベットを用いて固定する、又は溶接により固定してもよい。
【００４１】
また、前記実施形態では、バンド８の一端部に固定部側係止孔８Ａを備え、固定部９に固定部側係止爪９Ｋを備えたが、これとは反対にバンド８の一端部に固定部側係止爪を備え、固定部９に固定部側係止孔を備えてもよい。この場合、バンド８の一端部の固定部側係止爪を固定部９の固定部側係止孔に固定部９の表面側から係止した場合に、固定部側係止爪の一部が固定部９の裏面側に突出することになる。従って、前記実施形態のように、バンド８の一端部に固定部側係止孔８Ａを備え、固定部９に固定部側係止爪９Ｋを固定部９の表面側に突出するように備える構成にしておけば、固定部９の裏面側に固定部側係止爪９Ｋが突出することがなく、好ましい。
【００４２】
また、前記実施形態では、バンド８の他端部に延出部側係止孔８Ｂを備え、延出部１０の本体部１２に延出部側係止爪１２Ｋを備えたが、これとは反対にバンド８の他端部に延出部側係止爪を備え、延出部１０の本体部１２に延出部側係止孔を備えてもよい。
【００４３】
また、前記実施形態では、建屋の構造体として、縦柱２を示したが、外壁や内壁あるいは屋根等であってもよい。
【００４４】
また、前記実施形態では、配管類として、各種の流体を案内する配管４，５，６を示したが、空調用のダクトや電線等であってもよい。
【００４５】
また、前記実施形態では、固定部側係止爪９Ｋ及び延出部側係止爪１２Ｋを斜めに延びる一直線状のものから構成したが、Ｌ字形状に形成されたものから構成する、あるいはＪ字形状に形成されたもの等、係止爪９Ｋ，１２Ｋの形状は自由に変更可能である。
【００４６】
また、前記実施形態では、配管４に巻き掛けたバンド８の他端部を延出部１０の多数の孔１２Ｂのうち、固定部９側に位置する一つの孔１２Ｂよりも延出方向先端側にある他の一つの孔１２Ｂに通し、他の一つの孔１２Ｂに通したバンド８の他端部を延出部１０における本体部１２の延出部側係止爪１２Ｋに係止するように構成したが、配管４に巻き掛けたバンド８の他端部を、延出部１０における配管４を支持する側の表面側に重ね合わせて係止手段で係止するように構成してもよい。この係止手段は、重ね合わせた延出部１０とバンド８とを、バンド側から延出部側へ貫通することで係止するように構成された貫通係止部材１６から構成されている。この貫通係止部材１６は、合成樹脂やゴムの他、金属材料で構成され、図１１（ａ），（ｂ）に示すように、重ね合わせた延出部１０とバンド８とを、バンド側から延出部側へ貫通するよう押し込むための円盤状（角形や多角形等どのような形状でもよい）の押込部１６Ａと、押込部１６Ａの下面の中心部から下方に延びる貫通部１６Ｂと、押込部１６Ａの下面の中心部よりも径方向外側に位置し貫通部１６Ｂの周りに配置される弾性復元力を有する一対の抜止部１６Ｃ，１６Ｃとを備えている。貫通部１６Ｂは、下方に長い板状部材からなり、各抜止部１６Ｃは、上下中央部側ほど外側に突出して延出部１０の孔１２ｂへの貫通途中に内側に引退するよう変形し、貫通後に復元力で外側に広がって孔１２ｂから抜止部１６Ｃ，１６Ｃが上方へ抜けることがないようにしている。この場合、孔が形成されていないバンド８を貫通係止部材１６が容易に貫通可能となるように、バンド８の材料を、例えば柔らかい軟質性樹脂や発泡性合成樹脂等で構成されていることが好ましい。また、孔を開けやすいようにバンド８に薄肉部をバンド８の長手方向に沿って形成しておいてもよい。
【００４７】
また、図１１（ｃ）に、別の形状の貫通係止部材１６を示している。この貫通係止部材１６は、前述同様に、合成樹脂やゴムの他、金属材料で構成され、重ね合わせた延出部１０の本体部１２とバンド８とを、バンド側から延出部側へ貫通するよう押し込むための円盤状（角形や多角形等どのような形状でもよい）の押込部１６Ａと、押込部１６Ａの下面の中心部から下方に延びる円柱状（角柱状や多角柱状でもよい）の貫通部１６Ｂと、貫通部１６Ｂの下端から下方に延びる弾性変形可能な抜止部１６Ｃとを備えている。抜止部１６Ｃは、上側ほど外側に突出する円錐柱状に形成され、上端が貫通部１６Ｂの外径よりも大きな外径になっている。従って、本体部１２の孔１２ｂへの貫通途中に内側に引退するよう変形し、貫通後に復元力で外側に広がって孔１２ｂから抜止部１６Ｃが上方へ抜けることがないようにしている。この場合、前述したように、貫通係止部材１６がバンド８を容易に貫通可能となるように、バンド８の材料を、例えば柔らかい軟質性樹脂や発泡性合成樹脂等で構成されていることが好ましい。また、孔を開けやすいようにバンド８に薄肉部をバンド８の長手方向に形成しておいてもよい。図１１（ａ）〜（ｄ）で示した係止手段、つまり重ね合わせた延出部１０とバンド８とを、バンド側から延出部側へ貫通する構成にすることによって、前述した引っ掛けにより係止する構成（例えば図６〜図８参照）に比べて、配管類を確実かつ長期間において延出部１０に固定しておくことが可能となる。
【００４８】
また、図１１（ｄ）では、バンド８に貫通係止部材１６を通すための孔８Ｂ（図１１（ｄ）では１個のみ示しているが、図３のように多数形成されていてもよい）が形成され、その孔８Ｂと本体部１２の孔１２ｂとに亘って貫通係止部材１６を通すことで係止させる構成であってもよい。この場合、バンド８の材料は、特に制限されることはないが、合成樹脂やゴムあるいは金属等で形成することができる。このように、図１１（ａ）〜（ｄ）では、配管４，５，６に巻き掛けたバンド８の他端部を、延出部１０の多数の孔１２Ｂに通す作業が不要になるだけでなく、配管４，５，６を支持する側の表面側に重ね合わせて係止手段で係止するだけで済むため、配管類を支持させるための作業を容易かつ迅速に行うことができる。しかも、係止手段が孔の無いバンド８を貫通させて延出部１０の本体部１２の孔１２ｂに差し込む構成である場合には、バンド８の長さ方向のどのような位置でも貫通することができる。これによって、バンド８で配管類をガタつきなく延出部１０に固定することができる利点がある。
【００４９】
また、前記実施形態では、配管類に巻き掛けたバンド８の他端部を係止手段により延出部１０に係止する係止手段から構成したが、ボルトとナットとを用いて配管類に巻き掛けたバンド８の他端部を延出部１０に固定する構成であってもよい。具体的には、バンド８の他端部と延出部１０とを両者に形成の孔が一致した状態で重ね合わせ、ボルトの軸をバンド側から両者の孔に貫通させ、貫通したボルトの先端にナットを螺合させることによって、バンド８の他端部と延出部１０とを両側から締め付け固定する締付手段を構成している。前述した係止手段と締付手段とを総称して保持手段という。
【符号の説明】
【００５０】
１…壁、２…縦柱、２Ａ…一側面、３…配管類支持具、４，５，６…配管、４，５，６…配管、７…支持部材、８…バンド、８Ａ…固定部側係止孔、８Ｂ…延出部側係止孔、８Ｈ…幅広部、８ａ…孔、９…固定部、９Ａ…ビス挿通用孔、９Ｋ…固定部側係止爪、１０…延出部、１１…三角ビード、１２…本体部、１２Ａ…基端部、１２Ｂ…孔、１２Ｃ…先端部、１２Ｋ…延出部側係止爪、１２ａ…貫通孔、１３…補強板部、１４…ビス、１５…脚部、θ１，θ２…傾斜角度
【図１】
2015200408.tif 000003
【図２】
2015200408.tif 000004
【図３】
2015200408.tif 000005
【図４】
2015200408.tif 000006
【図５】
2015200408.tif 000007
【図６】
2015200408.tif 000008
【図７】
2015200408.tif 000009
【図８】
2015200408.tif 000010
【図９】
2015200408.tif 000011
【図１０】
2015200408.tif 000012
【図１１】
2015200408.tif 000013